(57)【特許請求の範囲】
【請求項１】
遊技台に対応して設けられる台間装置と、前記台間装置を含む複数の管理対象装置を管理する管理装置とを有する遊技媒体管理システムであって、
前記台間装置は、
プリペイド価値を取得するプリペイド価値取得手段と、
自装置に対応する遊技台で遊技客が獲得した遊技媒体を計数する計数手段と、
前記計数手段によって計数された遊技媒体数を含んだ持玉価値を携帯端末装置に対して関連付ける操作が受け付けられた場合に、前記持玉価値を前記携帯端末装置の識別子に関連付けるとともに、前記プリペイド価値取得手段によって取得されたプリペイド価値に残高があるならば、当該プリペイド価値と関連付いている記録媒体を返却するとともに、前記管理装置に対して該記録媒体を返却した旨を通知する返却手段と
を備えたことを特徴とする遊技媒体管理システム。
【請求項２】
前記台間装置は、
携帯端末装置の識別子を読み取る読取手段と、
前記返却手段による返却対象となった記録媒体の識別子と前記読取手段によって読み取られた携帯端末装置の識別子とを関連付けた関連付け情報を前記管理装置に対して通知する関連付け情報通知手段と、
を備え、
前記管理対象装置は、
前記記録媒体が受け付けられた場合に、受け付けられた記録媒体の識別子を含んだ関連付け情報を前記管理装置から取得し、取得した関連付け情報に含まれる携帯端末装置の識別子が前記読取手段によって読み取られた携帯端末装置の識別子と異なるならば、前記記録媒体に関連付けられたプリペイド価値の利用を不許可とする利用判定手段とをさらに備え、
前記管理装置は、
前記関連付け情報通知手段によって通知された関連付け情報を記憶する記憶手段と、
前記記憶手段に記憶された関連付け情報を前記管理対象装置からの要求に応じて通知する通知手段と
を備えたことを特徴とする請求項１に記載の遊技媒体管理システム。
【請求項３】
前記台間装置は、
前記記録媒体が受け付けられた場合に、受け付けられた記録媒体の識別子を含んだ関連付け情報を前記管理装置から取得し、取得した関連付け情報に含まれる携帯端末装置の識別子が前記読取手段によって読み取られた携帯端末装置の識別子と異なるならば、前記記録媒体に関連付けられたプリペイド価値を用いた前記遊技媒体の貸し出しを不許可とする貸出判定手段を前記利用判定手段として備えたことを特徴とする請求項２に記載の遊技媒体管理システム。
【請求項４】
前記返却手段は、
前記記録媒体を返却する場合に、当該記録媒体に対して返却時刻を関連付け、
前記貸出判定手段は、
前記記録媒体が受け付けられた場合に、当該記録媒体が受け付けられた時刻が当該記録媒体に対して関連付けられた返却時刻から所定時間以内であるならば、前記関連付け情報に含まれる携帯端末装置の識別子が前記読取手段によって読み取られた携帯端末装置の識別子と一致するか否かの判定を行うことなく、前記記録媒体に関連付けられたプリペイド価値を用いた前記遊技媒体の貸し出しを許可することを特徴とする請求項３に記載の遊技媒体管理システム。
【請求項５】
前記台間装置は、
前記返却口に残留する記録媒体を検知する残留検知手段
をさらに備え、
前記関連付け情報通知手段は、
前記返却手段によって前記記録媒体の返却が行われた後、前記返却口に残留する記録媒体を前記残留検知手段が検知した状態が所定時間継続したならば、当該記録媒体の取り忘れが発生している旨を含んだ取り忘れ情報を前記管理装置に対して通知し、
前記貸出判定手段は、
前記読取手段によって前記携帯端末装置の識別子が読み取られた場合に、当該携帯端末装置の識別子を含んだ関連付け情報を前記管理装置から取得し、取得した関連付け情報に前記取り忘れ情報が含まれているならば、記録媒体の取り忘れが発生している旨を報知するよう指示することを特徴とする請求項３または４に記載の遊技媒体管理システム。
【請求項６】
前記関連付け情報通知手段は、
前記記録媒体に対して関連付けられたプリペイド価値をさらに含んだ関連付け情報を前記管理装置に対して通知し、
前記管理装置は、
前記記録媒体のプリペイド価値を更新すべき旨を含んだ更新指示を前記管理対象装置から取得した場合に、取得した更新指示に基づいて前記記憶手段に記憶されたプリペイド価値を更新する更新手段をさらに備え、
前記通知手段は、
前記関連付け情報を通知すべき旨の要求を前記管理対象装置から受けた場合に、該当する関連付け情報に含まれるプリペイド価値に残高があるならば、当該関連付け情報を前記管理対象装置に対して送信するとともに、記録媒体が未精算である旨を報知するように前記管理対象装置に対して指示することを特徴とする請求項２〜５のいずれか一つに記載の遊技媒体管理システム。
【請求項７】
前記関連付け情報通知手段は、
前記記録媒体に対して関連付けられたプリペイド価値をさらに含んだ関連付け情報を前記管理装置に対して通知し、
前記管理装置は、
前記記録媒体のプリペイド価値を更新すべき旨を含んだ更新指示を前記管理対象装置から取得した場合に、取得した更新指示に基づいて前記記憶手段に記憶されたプリペイド価値を更新する更新手段をさらに備え、
前記記憶手段は、
前記携帯端末装置の電子メールアドレスを当該携帯端末装置の識別子を含んだ関連付け情報と関連付けて記憶し、
前記通知手段は、
前記関連付け情報が前記記憶手段に記憶されてから所定時間が経過した場合に、当該関連付け情報に含まれるプリペイド価値に残高があるならば、記録媒体が未精算である旨を含んだ電子メールを当該関連付け情報と関連付けられた電子メールアドレスに対して送信することを特徴とする請求項２〜６のいずれか一つに記載の遊技媒体管理システム。
【請求項８】
遊技台に対応して設けられる台間装置であって、
プリペイド価値を取得するプリペイド価値取得手段と、
自装置に対応する遊技台で遊技客が獲得した遊技媒体を計数する計数手段と、
前記計数手段によって計数された遊技媒体数を含んだ持玉価値を携帯端末装置に対して関連付ける操作が受け付けられた場合に、前記持玉価値を前記携帯端末装置の識別子に関連付けるとともに、前記プリペイド価値取得手段によって取得されたプリペイド価値に残高があるならば、当該プリペイド価値と関連付いている記録媒体を返却するとともに、前記管理装置に対して該記録媒体を返却した旨を通知する返却手段と
を備えたことを特徴とする台間装置。
【発明の詳細な説明】
【技術分野】
【０００１】
この発明は、遊技台に対応して設けられる遊技媒体管理システムおよび台間装置に関し、特に、計数部によって計数された持玉価値を遊技客が所持する携帯端末装置に対して関連付ける運用を行う場合に、プリペイド価値が関連付けられたカードの取り忘れを防止することができる遊技媒体管理システムおよび台間装置に関する。
【背景技術】
【０００２】
従来から、パチンコ店などの遊技店に設置されるパチンコ機やパチスロ機といった遊技機と並設され、挿入された遊技用記録媒体（以下、「カード」と記載する）に関連付けられたプリペイド価値を用いてパチンコ玉やメダルといった遊技媒体を貸し出す貸出処理機（以下、「台間装置」と記載する）が知られている。また、遊技機において遊技客が獲得した遊技媒体の数量を各台間装置と接続された計数部が計数する、いわゆる各台計数方式も知られてきた（たとえば、特許文献１参照）。
【０００３】
かかる各台計数方式に対応した台間装置では、計数部に投入された遊技媒体の数量（以下、「計数値」と記載する）を計数し、自装置に挿入されたカードに対して計数値を関連付ける。ここで、カードに関連付けられた計数値のことを「持玉価値」と呼ぶこととする。かかるカードを用いることで、遊技客は遊技媒体を持ち歩くことなく他の遊技台で遊技を継続することができる。
【０００４】
さらに、近年では、持玉価値をカードではなく遊技客が所持する携帯端末装置に対して関連付ける方式も提案されている。たとえば、特許文献２には、携帯端末装置との間で非接触データ通信を行うリーダライタ部を備え、所定のボタン（たとえば、「貯玉ボタン」）が押下された場合に、リーダライタ部との間で通信リンクを確立させた携帯端末装置のＩＤ（Identification）と持玉価値とを関連付ける台間装置が開示されている。すなわち、かかる台間装置では、携帯端末装置に対して持玉価値が関連付けられ、カードに対してプリペイド価値が関連付けられることとなる。
【先行技術文献】
【特許文献】
【０００５】
【特許文献１】特開平１０−１１８３２３号公報
【特許文献２】特願２００８−３３５５１６
【発明の概要】
【発明が解決しようとする課題】
【０００６】
しかしながら、特許文献２の技術は、プリペイド価値と持玉価値とが異なる２つの媒体に対して関連付けられるため、プリペイド価値および持玉価値をカードに対して関連付ける場合と比較して、カードの取り忘れが生じやすいという問題がある。
【０００７】
すなわち、特許文献２の技術によれば、遊技客は、遊技の終了時や台移動を行う場合に、携帯端末装置に対して持玉価値を関連付ける操作およびカードの返却操作の両方を行う必要がある。ここで、遊技客は、時間の余裕がない場合や事前に狙いを付けていた遊技台が空いた場合に遊技を終了したり台移動したりするケースが多いので、上記両方の操作を遊技客に強いていたのでは、カードの取り忘れが生じてしまうのである。
【０００８】
そして、このようなカードの取り忘れが生じた場合には、カードに関連付けられたプリペイド価値が他の遊技客によって不正に精算されることによって、このカードの本来の所有者が不利益を被るおそれがある。また、かかる不利益を被った遊技客からのクレームによって遊技店側も営業上の不利益を被るおそれがある。
【０００９】
これらのことから、計数部によって計数された持玉価値を遊技客が所持する携帯端末装置に対して関連付ける運用を行う場合に、プリペイド価値が関連付けられたカードの取り忘れを防止することができる遊技媒体管理システムあるいは台間装置をいかにして実現するかが大きな課題になっている。
【００１０】
本発明は、上述した従来技術による問題点を解消するためになされたものであって、計数部によって計数された持玉価値を遊技客が所持する携帯端末装置に対して関連付ける運用を行う場合に、プリペイド価値が関連付けられたカードの取り忘れを防止することができる遊技媒体管理システムおよび台間装置を提供することを目的とする。
【課題を解決するための手段】
【００１１】
上述した課題を解決し、目的を達成するため、本発明は、遊技台に対応して設けられる台間装置と、前記台間装置を含む複数の管理対象装置を管理する管理装置とを有する遊技媒体管理システムであって、前記台間装置は、プリペイド価値を取得するプリペイド価値取得手段と、自装置に対応する遊技台で遊技客が獲得した遊技媒体を計数する計数手段と、前記計数手段によって計数された遊技媒体数を含んだ持玉価値を携帯端末装置に対して関連付ける操作が受け付けられた場合に、前記持玉価値を前記携帯端末装置の識別子に関連付けるとともに、前記プリペイド価値取得手段によって取得されたプリペイド価値に残高があるならば、当該プリペイド価値と関連付いている記録媒体を返却するとともに、前記管理装置に対して該記録媒体を返却した旨を通知する返却手段とを備えたことを特徴とする。
【００１２】
また、本発明は、上記の発明において、前記台間装置は、携帯端末装置の識別子を読み取る読取手段と、前記返却手段による返却対象となった記録媒体の識別子と前記読取手段によって読み取られた携帯端末装置の識別子とを関連付けた関連付け情報を前記管理装置に対して通知する関連付け情報通知手段と、を備え、前記管理対象装置は、前記記録媒体が受け付けられた場合に、受け付けられた記録媒体の識別子を含んだ関連付け情報を前記管理装置から取得し、取得した関連付け情報に含まれる携帯端末装置の識別子が前記読取手段によって読み取られた携帯端末装置の識別子と異なるならば、前記記録媒体に関連付けられたプリペイド価値の利用を不許可とする利用判定手段とをさらに備え、前記管理装置は、前記関連付け情報通知手段によって通知された関連付け情報を記憶する記憶手段と、前記記憶手段に記憶された関連付け情報を前記管理対象装置からの要求に応じて通知する通知手段とを備えたことを特徴とする。
【００１３】
また、本発明は、上記の発明において、前記台間装置は、前記記録媒体が受け付けられた場合に、受け付けられた記録媒体の識別子を含んだ関連付け情報を前記管理装置から取得し、取得した関連付け情報に含まれる携帯端末装置の識別子が前記読取手段によって読み取られた携帯端末装置の識別子と異なるならば、前記記録媒体に関連付けられたプリペイド価値を用いた前記遊技媒体の貸し出しを不許可とする貸出判定手段を前記利用判定手段として備えたことを特徴とする。
【００１４】
また、本発明は、上記の発明において、前記返却手段は、前記記録媒体を返却する場合に、当該記録媒体に対して返却時刻を関連付け、前記貸出判定手段は、前記記録媒体が受け付けられた場合に、当該記録媒体が受け付けられた時刻が当該記録媒体に対して関連付けられた返却時刻から所定時間以内であるならば、前記関連付け情報に含まれる携帯端末装置の識別子が前記読取手段によって読み取られた携帯端末装置の識別子と一致するか否かの判定を行うことなく、前記記録媒体に関連付けられたプリペイド価値を用いた前記遊技媒体の貸し出しを許可することを特徴とする。
【００１５】
また、本発明は、上記の発明において、前記台間装置は、前記返却口に残留する記録媒体を検知する残留検知手段をさらに備え、前記関連付け情報通知手段は、前記返却手段によって前記記録媒体の返却が行われた後、前記返却口に残留する記録媒体を前記残留検知手段が検知した状態が所定時間継続したならば、当該記録媒体の取り忘れが発生している旨を含んだ取り忘れ情報を前記管理装置に対して通知し、前記貸出判定手段は、前記読取手段によって前記携帯端末装置の識別子が読み取られた場合に、当該携帯端末装置の識別子を含んだ関連付け情報を前記管理装置から取得し、取得した関連付け情報に前記取り忘れ情報が含まれているならば、記録媒体の取り忘れが発生している旨を報知するよう指示することを特徴とする。
【００１６】
また、本発明は、上記の発明において、前記関連付け情報通知手段は、前記記録媒体に対して関連付けられたプリペイド価値をさらに含んだ関連付け情報を前記管理装置に対して通知し、前記管理装置は、前記記録媒体のプリペイド価値を更新すべき旨を含んだ更新指示を前記管理対象装置から取得した場合に、取得した更新指示に基づいて前記記憶手段に記憶されたプリペイド価値を更新する更新手段をさらに備え、前記通知手段は、前記関連付け情報を通知すべき旨の要求を前記管理対象装置から受けた場合に、該当する関連付け情報に含まれるプリペイド価値に残高があるならば、当該関連付け情報を前記管理対象装置に対して送信するとともに、記録媒体が未精算である旨を報知するように前記管理対象装置に対して指示することを特徴とする。
【００１７】
また、本発明は、上記の発明において、前記関連付け情報通知手段は、前記記録媒体に対して関連付けられたプリペイド価値をさらに含んだ関連付け情報を前記管理装置に対して通知し、前記管理装置は、前記記録媒体のプリペイド価値を更新すべき旨を含んだ更新指示を前記管理対象装置から取得した場合に、取得した更新指示に基づいて前記記憶手段に記憶されたプリペイド価値を更新する更新手段をさらに備え、前記記憶手段は、前記携帯端末装置の電子メールアドレスを当該携帯端末装置の識別子を含んだ関連付け情報と関連付けて記憶し、前記通知手段は、前記関連付け情報が前記記憶手段に記憶されてから所定時間が経過した場合に、当該関連付け情報に含まれるプリペイド価値に残高があるならば、記録媒体が未精算である旨を含んだ電子メールを当該関連付け情報と関連付けられた電子メールアドレスに対して送信することを特徴とする。
【００１８】
また、本発明は、遊技台に対応して設けられる台間装置であって、プリペイド価値を取得するプリペイド価値取得手段と、自装置に対応する遊技台で遊技客が獲得した遊技媒体を計数する計数手段と、前記計数手段によって計数された遊技媒体数を含んだ持玉価値を携帯端末装置に対して関連付ける操作が受け付けられた場合に、前記持玉価値を前記携帯端末装置の識別子に関連付けるとともに、前記プリペイド価値取得手段によって取得されたプリペイド価値に残高があるならば、当該プリペイド価値と関連付いている記録媒体を返却するとともに、前記管理装置に対して該記録媒体を返却した旨を通知する返却手段とを備えたことを特徴とする。
【発明の効果】
【００１９】
本発明によれば、台間装置は、プリペイド価値を取得するプリペイド価値取得手段と、自装置に対応する遊技台で遊技客が獲得した遊技媒体を計数する計数手段と、計数手段によって計数された遊技媒体数を含んだ持玉価値を携帯端末装置に対して関連付ける操作が受け付けられた場合に、持玉価値を携帯端末装置の識別子に関連付けるとともに、プリペイド価値取得手段によって取得されたプリペイド価値に残高があるならば、当該プリペイド価値と関連付いている記録媒体を返却するとともに、前記管理装置に対して該記録媒体を返却した旨を通知する返却手段とを備えることとしたため、計数部によって計数された持玉価値を遊技客が所持する携帯端末装置に対して関連付ける運用を行う場合に、プリペイド価値が関連付けられたカードの取り忘れを防止することができるという効果を奏する。
【００２０】
また、本発明によれば、台間装置は、携帯端末装置の識別子を読み取る読取手段と、返却手段による返却対象となった記録媒体の識別子と読取手段によって読み取られた携帯端末装置の識別子とを関連付けた関連付け情報を管理装置に対して通知する関連付け情報通知手段と、を備え、管理対象装置は、記録媒体が受け付けられた場合に、受け付けられた記録媒体の識別子を含んだ関連付け情報を前記管理装置から取得し、取得した関連付け情報に含まれる携帯端末装置の識別子が読取手段によって読み取られた携帯端末装置の識別子と異なるならば、記録媒体に関連付けられたプリペイド価値の利用を不許可とする利用判定手段とをさらに備え、管理装置は、関連付け情報通知手段によって通知された関連付け情報を記憶する記憶手段と、記憶手段に記憶された関連付け情報を管理対象装置からの要求に応じて通知する通知手段とを備えることとしたため、記録媒体が盗難された場合であっても、盗難された記録媒体に関連付けられたプリペイド価値の不正利用を防止することができるという効果を奏する。
【００２１】
また、本発明によれば、台間装置は、記録媒体が受け付けられた場合に、受け付けられた記録媒体の識別子を含んだ関連付け情報を管理装置から取得し、取得した関連付け情報に含まれる携帯端末装置の識別子が読取手段によって読み取られた携帯端末装置の識別子と異なるならば、記録媒体に関連付けられたプリペイド価値を用いた遊技媒体の貸し出しを不許可とする貸出判定手段を利用判定手段として備えることとしたため、記録媒体が盗難された場合であっても、盗難された記録媒体に関連付けられたプリペイド価値を利用した遊技媒体の不正な貸し出しを防止することができるという効果を奏する。
【００２２】
また、本発明によれば、返却手段は、記録媒体を返却する場合に、当該記録媒体に対して返却時刻を関連付け、貸出判定手段は、記録媒体が受け付けられた場合に、当該記録媒体が受け付けられた時刻が当該記録媒体に対して関連付けられた返却時刻から所定時間以内であるならば、関連付け情報に含まれる携帯端末装置の識別子が読取手段によって読み取られた携帯端末装置の識別子と一致するか否かの判定を行うことなく、記録媒体に関連付けられたプリペイド価値を用いた遊技媒体の貸し出しを許可することとしたため、記録媒体の正当な所有者が台移動を行う場合のように記録媒体の返却から次回利用時までの時間が比較的短い場合には携帯端末装置を用いた本人確認が省略される結果、再遊技の開始操作の煩雑化を防止することができるという効果を奏する。
【００２３】
また、本発明によれば、台間装置は、返却口に残留する記録媒体を検知する残留検知手段をさらに備え、関連付け情報通知手段は、返却手段によって記録媒体の返却が行われた後、返却口に残留する記録媒体を残留検知手段が検知した状態が所定時間継続したならば、当該記録媒体の取り忘れが発生している旨を含んだ取り忘れ情報を管理装置に対して通知し、貸出判定手段は、読取手段によって携帯端末装置の識別子が読み取られた場合に、当該携帯端末装置の識別子を含んだ関連付け情報を管理装置から取得し、取得した関連付け情報に取り忘れ情報が含まれているならば、記録媒体の取り忘れが発生している旨を報知するよう指示することとしたため、遊技客が記録媒体を取り忘れた場合であっても、取り忘れられた記録媒体が他の遊技客によって盗難されることを防止できるという効果を奏する。
【００２４】
また、本発明によれば、関連付け情報通知手段は、記録媒体に対して関連付けられたプリペイド価値をさらに含んだ関連付け情報を管理装置に対して通知し、管理装置は、記録媒体のプリペイド価値を更新すべき旨を含んだ更新指示を前記管理対象装置から取得した場合に、取得した更新指示に基づいて記憶手段に記憶されたプリペイド価値を更新する更新手段をさらに備え、通知手段は、関連付け情報を通知すべき旨の要求を管理対象装置から受けた場合に、該当する関連付け情報に含まれるプリペイド価値に残高があるならば、当該関連付け情報を管理対象装置に対して送信するとともに、記録媒体が未精算である旨を報知するように管理対象装置に対して指示することとしたため、景品交換を行った遊技客がプリペイド価値を精算せずに退店してしまう事態を防止したり、再遊技を行う遊技客に対してプリペイド価値が未精算である旨を強く印象付けたりすることができるという効果を奏する。
【００２５】
また、本発明によれば、関連付け情報通知手段は、記録媒体に対して関連付けられたプリペイド価値をさらに含んだ関連付け情報を管理装置に対して通知し、管理装置は、記録媒体のプリペイド価値を更新すべき旨を含んだ更新指示を管理対象装置から取得した場合に、取得した更新指示に基づいて記憶手段に記憶されたプリペイド価値を更新する更新手段をさらに備え、記憶手段は、携帯端末装置の電子メールアドレスを当該携帯端末装置の識別子を含んだ関連付け情報と関連付けて記憶し、通知手段は、関連付け情報が記憶手段に記憶されてから所定時間が経過した場合に、当該関連付け情報に含まれるプリペイド価値に残高があるならば、記録媒体が未精算である旨を含んだ電子メールを当該関連付け情報と関連付けられた電子メールアドレスに対して送信することとしたため、景品交換や再遊技を行わずに退店してしまった遊技客に対してプリペイド価値が未精算である旨を報知することができるという効果を奏する。
【図面の簡単な説明】
【００２６】
【図１】図１は、本発明に係る遊技媒体管理手法の概要を示す図である。
【図２】図２は、本実施例に係る台間装置が接続されるネットワーク環境を示す図である。
【図３】図３は、台間装置および管理装置の構成を示すブロック図である。
【図４】図４は、台間装置の外観図である。
【図５】図５は、会員管理情報の一例を示す図である。
【図６】図６は、貸出判定部の動作例を説明するための図である。
【図７】図７は、貸出判定部のその他の動作例を説明するための図である。
【図８】図８は、図７に示した動作例の結果として表示される情報の一例を示す図である。
【図９】図９は、管理装置、精算機および携帯端末装置処理機の動作例を説明するための図である。
【図１０】図１０は、貯玉ボタン押下時における台間装置の処理手順を示すフローチャートである。
【図１１】図１１は、カード挿入時における台間装置の処理手順を示すフローチャートである。
【図１２】図１２は、持玉価値を用いた再遊技時における台間装置の処理手順を示すフローチャートである。
【発明を実施するための形態】
【００２７】
以下に添付図面を参照して、本発明に係る遊技媒体管理システムおよび台間装置の実施例を詳細に説明する。なお、以下の説明では、パチンコ店などの遊技店に設置されるパチンコ機やパチスロ機といった遊技機と併設された計数機能付き台間装置（以下、単に「台間装置」と記載する）が、カード返却や遊技媒体の払い出しを行う場合について説明する。
【００２８】
まず、実施例の詳細な説明に先立って、本発明に係る遊技媒体管理手法の概要について図１を用いて説明する。図１は、本発明に係る遊技媒体管理手法の概要を示す図である。同図に示すように、本発明に係る遊技媒体管理手法では、遊技客が所持する携帯端末装置に対して持玉価値を関連付ける操作を受け付けた場合に、プリペイド価値が残っているならば、プリペイド価値の残高（プリペイド残高）を関連付けたカードを自動的に排出する点に主たる特徴がある。
【００２９】
ここで、「持玉価値」とは、遊技客が遊技台で獲得した遊技媒体の数量を示し、台間装置に設けられた計数部によって計数される。また、「プリペイド価値」とは、遊技媒体の貸出対価として遊技客から予め徴収された有価価値を示す。貸出ボタンの押下等によって遊技媒体の貸し出しが指示された場合には、貸し出される遊技媒体に相当する価値がプリペイド価値から差し引かれる。なお、プリペイド価値は、台間装置の記憶部に記憶されることとしてもよいし、台間装置を管理する管理装置が管理することとしてもよい。
【００３０】
たとえば、図１に示したように、持玉価値（持玉）「１０００玉」およびプリペイド価値（現金）「２０００円」がユニット残高として台間装置に記憶されているとする。かかる場合に、携帯端末装置のＩＤを読み取るリーダライタ部に対して携帯端末装置のかざし操作が行われると、台間装置は、リーダライタ部によって読み取ったＩＤと持玉価値「１０００玉」とを関連付ける（図１の（１）参照）。なお、遊技客は、貯玉ボタン等の所定のボタンを押下した後に、携帯端末装置のかざし操作を行うこととしてもよい。
【００３１】
つづいて、台間装置は、プリペイド価値に残高があるか否かを判定する。ここでは、プリペイド価値（現金）「２０００円」が台間装置に記憶されているため、台間装置は、プリペイド価値に残高があると判定する（図１の（２）参照）。そして、台間装置は、プリペイド残高があると判定すると、このプリペイド残高「２０００円」を関連付けたカードを自動的に排出する（図１の（３）参照）。
【００３２】
このように、本発明に係る遊技媒体管理手法では、携帯端末装置に対して持玉価値を関連付ける操作を受け付けた場合に、プリペイド残高があるならば、このプリペイド残高を関連付けたカードを自動排出することとしたので、計数部によって計数された持玉価値を遊技客が所持する携帯端末装置に対して関連付ける運用を行う場合に、プリペイド価値が関連付けられたカードの取り忘れを防止することができる。
【００３３】
すなわち、従来では、携帯端末装置に対して持玉価値を関連付ける操作およびカード返却操作の両方を行う必要があるため、遊技客がカード返却操作を忘れ易く、カードの取り忘れが生じやすかった。一方、本発明に係る遊技媒体管理手法によれば、携帯端末装置に対して持玉価値を関連付ける操作によってカードも排出されるため、遊技客がカード返却操作を意識することなくカードを受け取ることができ、カードの取り忘れが防止されるのである。しかも、遊技の終了時の作業が簡略化されるため、遊技客にとっての利便性を高めることができる。
【００３４】
また、本発明に係る遊技媒体管理手法では、持玉価値を関連付けた携帯端末装置とプリペイド残高を関連付けたカードとを関連付けた関連付け情報を用いることによって、カードの次回利用時に携帯端末装置による本人確認を行ったり、携帯端末装置の次回利用時にカードの未精算や取り忘れを報知したりすることもできる。かかる点については、後述する実施例において具体的に説明する。
【００３５】
以下では、図１を用いて説明した遊技媒体管理手法を適用した台間装置についての実施例を詳細に説明する。なお、以下に示す実施例では、携帯端末装置に対して関連付けた持玉価値を「貯玉」として管理する場合について主に説明することとする。ここで、「貯玉」とは、遊技客が獲得した遊技媒体を換金したり景品交換したりすることなく遊技店へ預けておくことを指す。ただし、携帯端末装置に対して関連付けられた持玉価値は、貯玉としてではなく持玉として管理されることとしてもよい。
【実施例】
【００３６】
図２は、本実施例に係る台間装置１０が接続されるネットワーク環境を示す図である。同図に示すように、遊技台１００ごとに設けられる台間装置１０は、店舗内ＬＡＮ（Local  Area  Network）２０などのネットワーク経由で、管理装置２００、島コントローラ３００、精算機４００、景品管理機５００、携帯端末装置処理機６００、景品払出機７００といった各機器と接続されている。なお、遊技媒体管理システムは、少なくとも台間装置１０および管理装置２００を含むものとする。
【００３７】
管理装置２００は、台間装置１０や精算機４００、携帯端末装置処理機６００等の各機器を集中管理する装置であり、会員管理ＤＢ（データベース）２１１および記録媒体管理ＤＢ（データベース）２１２を含んだデータベース２１０を備えている。
【００３８】
会員管理ＤＢ２１１は、遊技店の会員に対して貯玉サービスを提供するためのデータベースであり、会員が遊技店へ預けている持玉価値（貯玉数）の他、この会員が所持するカードのＩＤやプリペイド残高といった情報を会員管理情報として管理する。かかる会員管理情報の具体的な内容については、後述する。
【００３９】
記録媒体管理ＤＢ２１２は、カードに関連付けられる価値を管理するデータベースである。具体的には、記録媒体管理ＤＢ２１２は、プリペイド価値を管理するカードＤＢ（データベース）２１２ａと、遊技客が獲得した持玉価値を管理する持玉ＤＢ（データベース）２１２ｂとから構成される。このように、台間装置１０が返却するカードに対して関連付けられる持玉価値やプリペイド価値は、管理装置２００が管理するカードＤＢ２１２ａや持玉ＤＢ２１２ｂによっても管理されている。また、管理装置２００は、インターネットや無線通信網といった通信回線３０を介して携帯端末装置と接続する。
【００４０】
島コントローラ３００は、台間装置１０および遊技台１００が設置される遊技島ごとに設けられる中継装置であり、管理装置２００／台間装置１０間、あるいは、管理装置２００／遊技台１００間の通信データを中継する。なお、島コントローラ３００は、通常、各遊技島に対して１台設けられる。
【００４１】
ここで、台間装置１０がカードを返却した場合、他の遊技台１００で遊技を継続する意志がない遊技客は、カードを精算機４００へ挿入することで、プリペイド価値の残高に応じた貨幣を受け取る。また、遊技客は、景品交換コーナーへ赴き、携帯端末装置処理機６００に対して自身が所持する携帯端末装置をかざす。そして、遊技店の従業員が景品管理機５００や景品払出機７００を操作することで、遊技客は、携帯端末装置に対して関連付けられた持玉価値に応じた景品を受け取ることになる。
【００４２】
次に、本実施例に係る台間装置１０および管理装置２００の構成について図３を用いて説明する。図３は、台間装置１０および管理装置２００の構成を示すブロック図である。なお、同図には、台間装置１０および管理装置２００の特徴を説明するために必要な構成要素のみを示しており、一般的な構成要素についての記載を省略している。
【００４３】
同図に示すように、台間装置１０は、リーダライタ部１１と、カード保持部１２と、操作・表示部１３と、払出部１４と、計数部１５と、制御部１６と、記憶部１７とを備えている。また、制御部１６は、関連付け部１６ａと、返却処理部１６ｂと、関連付け情報通知部１６ｃと、貸出判定部１６ｄとを備える。また、記憶部１７は、持玉情報１７ａと、プリペイド残高情報１７ｂとを記憶する。
【００４４】
一方、管理装置２００は、データベース２１０と、会員管理情報更新部２２０と、会員管理情報通知部２３０とを備えている。以下では、まず、台間装置１０の各構成要素について説明する。
【００４５】
リーダライタ部１１は、遊技客が所持する携帯端末装置との間で近距離無線通信を行うデバイスである。具体的には、リーダライタ部１１は、遊技客によるかざし操作によって通信リンクが確立した携帯端末装置から、この携帯端末装置に対して割り当てられたＩＤを読み取る。ここで、携帯端末装置に対して割り当てられたＩＤを「携帯ＩＤ」と呼ぶこととする。
【００４６】
カード保持部１２は、台間装置１０にあらかじめ内蔵されたカードを有しており、返却処理部１６ｂから返却指示を受けた場合に、内蔵されたカードを排出する。また、カード保持部１２は、内蔵されたカードの排出に先立ち、排出対象となるカードに割り当てられたＩＤ（以下、「カードＩＤ」と記載する）を読み出し、読み出したカードＩＤを関連付け部１６ａへ通知する。
【００４７】
また、カード保持部１２によって排出されたカードは、カードの一部が返却口（後述する「カード挿入部５７」）に残留した状態で排出され、返却口から露出した部分を遊技客によって掴まれ抜き取られる。ここで、カード保持部１２は、返却口に残留するカードを検知する残留検知センサを備えている。なお、残留検知センサとしては、たとえば、赤外線センサや超音波センサ等を用いることができる。
【００４８】
また、カードを返却された遊技客は、遊技台を変更して再遊技する場合には、返却されたカードを他の台間装置１０のカード保持部１２へ挿入することで、このカードに関連付けられたプリペイド価値を利用することができる。かかる場合、カード保持部１２は、挿入されたカードのカードＩＤを読み出し、貸出判定部１６ｄへ通知する。
【００４９】
操作・表示部１３は、台間装置１０に対する操作を受け付けるボタンなどの入力デバイスと、各種情報を表示するためのディスプレイなどの表示デバイスとから構成される。たとえば、操作・表示部１３は、「カード返却ボタン」を有しており、カードの返却を要求する遊技客によって返却ボタンが押下された場合には、カード返却要求があった旨を示す信号を返却処理部１６ｂに対して通知する。また、操作・表示部１３は、貸出判定部１６ｄから通知された情報を表示デバイスへ表示する。
【００５０】
払出部１４は、貸出判定部１６ｄからの指示に応じて遊技媒体の払い出しを行うデバイスである。計数部１５は、遊技客が獲得した遊技媒体（たとえば、パチンコ玉）を計数し、計数した計数値を持玉情報１７ａとして記憶部１７へ記憶させる。なお、かかる計数値がカウントアップされるたびに持玉情報１７ａは更新されるものとする。
【００５１】
ここで、図３に示した台間装置１０の外観構成について図４を用いて説明しておく。図４は、台間装置１０の外観図である。なお、同図には、台間装置１０が併設された遊技台１００を破線で示している。また、同図では、紙幣のみを受け付ける台間装置１０を示しているが、硬貨受け付け用のユニットを備えることとしてもよい。
【００５２】
図４に示すように、台間装置１０は、台間装置１０の装置状態を所定色のランプの点灯あるいは点滅で表示する状態表示部５１と、遊技媒体貸し出しのための各種紙幣を受け付ける紙幣挿入部５２とを備えている。また、台間装置１０は、遊技店の従業員が携帯するリモコン（携帯端末装置）からの指示を受け付けるリモコン受光部５３と、ディスプレイなどの表示部およびテンキー、各種のボタンといった操作部を含んだ操作・表示部５４（図２に示した「操作・表示部１３」に相当）とを備えている。
【００５３】
また、台間装置１０は、持玉等の遊技媒体を払い出すノズルを備えた持玉払出部５５と、携帯端末装置の情報を読み取ったり携帯端末装置に対して情報を書き込んだりするリーダライタ部５６（図２に示した「リーダライタ部１１」に相当）とを備えている。また、台間装置１０は、カードの受け付けや返却を行うカード挿入部５７と、遊技客が獲得した遊技媒体（持玉）を計数する計数部５８（図２に示した「計数部１５」に相当）とを備えている。
【００５４】
また、台間装置１０は、持玉（獲得玉）を貯留する玉貯留部５９と、獲得玉を貯玉する場合に遊技客によって押下される貯玉ボタン６０と、遊技媒体を貸し出させる場合に遊技客によって押下される持玉払出ボタン６１とを備えている。具体的には、貯玉ボタン６０は、遊技客によって押下されると、携帯端末装置への貯玉要求があった旨を示す信号を関連付け部１６ａに対して通知する。
【００５５】
なお、遊技台１００には、カードの残額（プリペイド残高）や、貸し出された遊技媒体の数などを表示する表示部１００ａと、遊技媒体の貸し出しを指示する貸出ボタンやカード返却を指示する返却ボタンといった操作ボタン１００ｂとが設けられる。
【００５６】
台間装置１０は、同図に示す遊技台１００の下皿から落下した持玉（獲得玉）を玉貯留部５９でいったん貯留し、貯留した持玉（獲得玉）を計数部５８へ導く。そして、計数部５８で持玉（獲得玉）の数量を計数する。なお、計数後の遊技媒体は、遊技島内に形成される図示しない遊技媒体回収経路へ排出される。
【００５７】
そして、台間装置１０に持玉価値が記憶された状態で、遊技客が持玉払出ボタン６１を押下した場合には、持玉（獲得玉）を持玉払出部５５経由で遊技台１００へ投出する。なお、持玉払出部５５は、紙幣挿入部５２へ紙幣が挿入されたり、カード挿入部５７へプリペイド価値が関連付けられたカードが挿入されたりして、遊技台１００の持玉払出ボタンが押下された場合の払い出しを併せて行う場合もある。なお、遊技台に設けられた貸出ボタンが押下された場合に、持玉（獲得玉）を持玉払出部５５経由で遊技台１００へ投出することとしてもよい。
【００５８】
一方、台間装置１０に持玉価値が記憶された状態で、遊技客が貯玉ボタン６０を押下し、リーダライタ部５６に対して携帯端末装置をかざした場合には、持玉価値を携帯端末装置と関連付けて貯玉する処理が行われる。
【００５９】
ここで、紙幣挿入部５２に紙幣が挿入された場合には、紙幣挿入部５２が受け付けた紙幣に対応するプリペイド価値が、プリペイド残高情報１７ｂとして記憶部１７に記憶される。同様に、カード挿入部５７にカードが挿入された場合には、カード挿入部５７が受け付けたカードに関連付けられたプリペイド価値が、プリペイド残高情報１７ｂとして記憶部１７に記憶される。
【００６０】
ところで、図４には、カード挿入部５７がリーダライタ部５６の下部に設けられている場合について示したが、カード挿入部５７をリーダライタ部５６の上部に設けることとしてもよい。このように構成することによって、カード挿入部５７から自動排出されるカードの視認性を高めることができるため、カードの取り忘れをより確実に防止することができる。
【００６１】
図３の説明に戻り、制御部１６について説明する。制御部１６は、携帯端末装置に対する持玉価値の関連付け、カードの返却処理、関連付け情報の通知、遊技媒体の貸出判定といった処理を行う処理部である。
【００６２】
関連付け部１６ａは、携帯端末装置に対して持玉価値を関連付ける処理部である。具体的には、関連付け部１６ａは、図４に示した貯玉ボタン６０が押下された後、リーダライタ部１１に対する携帯端末装置のかざし操作が行われた場合に、リーダライタ部１１によって読み取られた携帯ＩＤと記憶部１７に記憶された持玉情報１７ａとを関連付ける。
【００６３】
また、関連付け部１６ａは、貯玉ボタン６０が押下された後、リーダライタ部１１に対する携帯端末装置のかざし操作が行われた場合に、記憶部１７に記憶されたプリペイド残高情報１７ｂを参照し、プリペイド価値に残高があるか否かを判定する。そして、関連付け部１６ａは、プリペイド価値に残高があると判定した場合には、返却処理部１６ｂに対してカードを返却するよう指示する。
【００６４】
また、関連付け部１６ａは、プリペイド価値に残高があると判定した場合には、カード保持部１２に保持されているカードのカードＩＤをカード保持部１２から受け取る。そして、関連付け部１６ａは、カード保持部１２から受け取ったカードＩＤ、プリペイド残高情報１７ｂ、現在時刻（前回返却時刻）、リーダライタ部１１が読み取った携帯ＩＤおよび持玉情報１７ａを関連付けた関連付け情報を関連付け情報通知部１６ｃへ渡す。
【００６５】
返却処理部１６ｂは、関連付け部１６ａからカードを返却すべき旨の指示を受けた場合に、カード保持部１２に対してカードの返却を指示する処理部である。なお、返却処理部１６ｂは、カード返却ボタンの押下によるカード返却要求があった旨を示す信号を操作・表示部１３から受け取った場合にも、カード保持部１２に対してカードの返却を指示する。
【００６６】
関連付け情報通知部１６ｃは、関連付け部１６ａから受け取った関連付け情報を管理装置２００に対して通知する処理部である。また、関連付け情報通知部１６ｃは、カードの返却が行われた後、カード挿入部５７に残留するカードを残留検知センサが検知した状態が所定時間継続した場合には、カードの取り忘れが発生している旨およびカードＩＤを含んだ取り忘れ情報を管理装置２００に対して通知する処理も行う。
【００６７】
なお、関連付け情報通知部１６ｃは、記憶部１７に記憶された持玉情報１７ａやプリペイド残高情報１７ｂを管理装置２００に対して通知する処理も行う。
【００６８】
貸出判定部１６ｄは、管理装置２００の会員管理ＤＢ２１１に記憶される会員管理情報を用いて、カードに関連付けられたプリペイド価値を用いた遊技媒体の貸し出しを許可するか否かを判定する処理部である。ここで、貸出判定部１６ｄの説明に先立ち、管理装置２００の会員管理ＤＢ２１１に記憶される会員管理情報の具体的内容について説明する。図５に、会員管理情報の一例を示す。
【００６９】
図５に示すように、会員管理情報は、「会員ＩＤ」項目と、「カードＩＤ」項目と、「プリペイド残高」項目と、「前回返却時刻」項目と、「取り忘れ」項目と、「携帯ＩＤ」項目と、「貯玉」項目と、「メールアドレス」項目と、「暗証番号」項目とを含んだ情報である。ここで、「カードＩＤ」項目、「プリペイド残高」項目、「前回返却時刻」項目、「携帯ＩＤ」項目および「貯玉」項目に格納される情報は、台間装置１０の関連付け情報通知部１６ｃによって通知される関連付け情報に含まれるカードＩＤ、プリペイド残高情報１７ｂ、前回返却時刻、携帯ＩＤおよび持玉情報１７ａに相当する情報である。ここでは、これらの５つの項目についての説明は省略することとする。
【００７０】
「会員ＩＤ」項目は、遊技店の各会員を識別する識別情報が格納される項目である。「取り忘れ」項目は、関連付け情報通知部１６ｃから取り忘れ情報を受け取ったか否かを示す情報が格納される項目である。具体的には、「取り忘れ」項目には、関連付け情報通知部１６ｃから取り忘れ情報を受け取っていない場合には「なし」が格納されており、関連付け情報通知部１６ｃから取り忘れ情報を受け取った場合には「あり」が格納される。
【００７１】
「メールアドレス」項目は、「携帯ＩＤ」項目に格納されている携帯ＩＤを有する携帯端末装置の電子メールアドレスが格納される項目である。「暗証番号」項目は、「会員ＩＤ」項目に格納されている会員ＩＤを割り当てられた会員によって任意に設定された暗証番号が格納される項目である。
【００７２】
図３に示した貸出判定部１６ｄの説明に戻る。貸出判定部１６ｄは、先ず、カード挿入部５７に挿入されたカードをカード保持部１２が受け付けた場合に、受け付けられたカードに関連付けられたカードＩＤをカード保持部１２から受け取る。そして、貸出判定部１６ｄは、カード保持部１２から受け取ったカードＩＤが含まれている会員管理情報を管理装置２００から取得する。
【００７３】
また、カード挿入部５７にカードが挿入されると、携帯端末装置をリーダライタ部１１へかざすべき旨のメッセージが操作・表示部１３に表示される。そして、遊技客が、かかるメッセージに従って携帯端末装置をリーダライタ部１１へかざすと、リーダライタ部１１は、この携帯端末装置から携帯ＩＤを読み出し、読み出した携帯ＩＤを貸出判定部１６ｄへ通知する。
【００７４】
貸出判定部１６ｄは、リーダライタ部１１から携帯ＩＤを受け取ると、受け取った携帯ＩＤを会員管理情報に含まれる携帯ＩＤと対比する。そして、両者が異なる場合には、リーダライタ部１１から受け取った携帯ＩＤが正当ではないと判定し、カードに関連付けられたプリペイド価値を用いた遊技媒体の貸し出しを不許可とする。すなわち、貸出判定部１６ｄは、遊技客によって貸出ボタンが押下された場合であっても、かかる操作を無効化することによって、遊技媒体の貸出処理を実行しない。
【００７５】
ここで、貸出判定部１６ｄの動作例について説明する。図６は、貸出判定部１６ｄの動作例を説明するための図である。なお、同図の（Ａ）および（Ｂ）には、説明の前提となる情報の内容を示している。具体的には、同図の（Ａ）には、カード挿入部５７に挿入されたカードのカードＩＤを示しており、同図の（Ｂ）には、同図の（Ａ）に示したカードに対応する会員管理情報の内容を示している。
【００７６】
図６の（Ａ）に示したように、カード挿入部５７に対して挿入されたカードには、カードＩＤ「ＡＡＡ」が関連付けられている。また、同図の（Ｂ）に示したように、管理装置２００から取得した会員管理情報には、カード挿入部５７に挿入されたカードのカードＩＤ「ＡＡＡ」と前回返却時刻「１６時２５分」と携帯ＩＤ「ａａａ」とが関連付けられている。なお、図６に示した会員管理情報は、図５に示した会員管理情報のうち、必要な情報だけを抜粋して示したものである。ここでは、貸出判定部１６ｄが、図６の（Ａ）および（Ｂ）に示した情報を取得した場合について説明する。
【００７７】
図６の（Ｃ−１）に示したように、リーダライタ部１１が携帯ＩＤ「ａａａ」を読み取ったとする。この場合、リーダライタ部１１から受け取った携帯ＩＤ「ａａａ」と会員管理情報に含まれる携帯ＩＤ「ａａａ」とが一致するため、貸出判定部１６ｄは、リーダライタ部１１から受け取った携帯ＩＤが正当であると判定し、カードに関連付けられたプリペイド価値を用いた遊技媒体の貸し出しを許可する。ここで、貸出判定部１６ｄは、遊技媒体の貸出を許可した場合には、払出部１４から所定数の遊技媒体を払い出すとともに、払い出した遊技媒体に相当する価値をプリペイド残高情報から減算する処理を行う。
【００７８】
また、貸出判定部１６ｄは、リーダライタ部１１から受け取った携帯ＩＤが正当であると判定した場合には、カードを使用可能である旨を操作・表示部１３に対して表示させる。たとえば、貸出判定部１６ｄは、「本カードは使用可能です」といったメッセージを操作・表示部１３に対して表示させる。なお、貸出判定部１６ｄは、かかるメッセージとともにプリペイド残高を表示させてもよい。
【００７９】
一方、図６の（Ｃ−２）に示したように、リーダライタ部１１が携帯ＩＤ「ｚｚｚ」を読み取ったとする。この場合、リーダライタ部１１から受け取った携帯ＩＤ「ｚｚｚ」と会員管理情報に含まれる携帯ＩＤ「ａａａ」とが異なるため、貸出判定部１６ｄは、リーダライタ部１１から受け取った携帯ＩＤが正当ではないと判定し、カードに関連付けられたプリペイド価値を用いた遊技媒体の貸し出しを不許可とする。
【００８０】
また、貸出判定部１６ｄは、リーダライタ部１１から受け取った携帯ＩＤが正当ではないと判定した場合には、カードを使用不可である旨を操作・表示部１３に対して表示させる。たとえば、貸出判定部１６ｄは、「登録されている携帯電話ではないため、本カードは使用できません」といったメッセージを操作・表示部１３に対して表示させる。なお、貸出判定部１６ｄは、状態表示部５１に設けられたランプを点滅させたり、図示しないスピーカから警報音を出力させたりしてもよい。これにより、遊技店の店員は、不正を行おうとした遊技客を容易に発見することができる。
【００８１】
このように、プリペイド価値が関連付けられたカードの次回利用時に、このカードのカードＩＤに関連付けられた携帯ＩＤを用いて本人確認を行うことによって、カードが盗難された場合であっても、盗難されたカードに関連付けられたプリペイド価値の不正利用を防止することができる。
【００８２】
なお、貸出判定部１６ｄは、カード保持部１２がカードを受け付けた時刻が、このカードに関連付けられた前回返却時刻から所定時間以内であるならば、関連付け情報に含まれる携帯ＩＤとリーダライタ部１１によって読み取られた携帯ＩＤとの対比を行うことなく、カードに関連付けられたプリペイド価値を用いた遊技媒体の貸し出しを許可する。
【００８３】
これにより、カードの正当な所有者が台移動を行う場合のようにカードの返却から次回利用時までの時間が比較的短い場合には携帯端末装置を用いた本人確認が省略されるため、再遊技の開始操作が煩雑化することを防止できる。なお、かかる場合には、携帯端末装置をリーダライタ部１１へかざすべき旨のメッセージは表示されない。
【００８４】
また、貸出判定部１６ｄは、遊技客が再遊技もしくは情報取得のためにリーダライタ部１１に対して携帯端末装置のかざし操作を行った場合に、この携帯端末装置に関連付けられたカードの取り忘れや未精算を遊技客に対して報知する処理も併せて行う。
【００８５】
ここで、かかる貸出判定部１６ｄの動作例について説明する。図７は、貸出判定部１６ｄのその他の動作例を説明するための図である。また、図８は、図７に示した動作例の結果として表示される情報の一例を示す図である。なお、図７の（Ａ）には、説明の前提とする携帯ＩＤの内容を示している。以下では、図７の（Ａ）に示したように、リーダライタ部１１に対してかざし操作が行われた携帯端末装置の携帯ＩＤが「ａａａ」である場合について説明する。
【００８６】
図７の（Ｂ−１）に示したように、管理装置２００から取得した会員管理情報には、リーダライタ部１１に対してかざし操作が行われた携帯端末装置の携帯ＩＤ「ａａａ」と関連付けて、カードＩＤ「ＡＡＡ」と取り忘れ「あり」とが含まれているとする。この場合、貸出判定部１６ｄは、カードの取り忘れが発生している旨を遊技客に対して報知する。
【００８７】
たとえば、図８の（Ａ）に示すように、貸出判定部１６ｄは、「前回ご使用の台にカードを忘れています」といったメッセージを操作・表示部１３に対して表示させる。これにより、遊技客がカードを取り忘れた場合であっても、カードを取り忘れていることを遊技客に対して気付かせることができるため、カードが他の遊技客によって盗難されることを未然に防ぐことができる。
【００８８】
一方、図７の（Ｂ−２）に示したように、会員管理情報には、リーダライタ部１１に対してかざし操作が行われた携帯端末装置の携帯ＩＤ「ａａａ」と関連付けて、カードＩＤ「ＡＡＡ」とプリペイド残高「１０００円」とが含まれているとする。この場合、貸出判定部１６ｄは、未精算のカードがある旨を遊技客に対して報知する。
【００８９】
たとえば、図８の（Ｂ）に示すように、貸出判定部１６ｄは、「未精算のカードがあります」といったメッセージを操作・表示部１３に対して表示させる。これにより、再遊技もしくは情報取得を行う遊技客に対してプリペイド価値が未精算である旨を強く印象付けることができる。また、遊技客が取り忘れたカードが短期間で他の遊技客に盗難されることで、カードを取り忘れている旨が遊技客に対して報知されなかった場合でも、未精算のカードがある旨が報知されることによって、カードを取り忘れていることを遊技客に対して気付かせることができる。
【００９０】
なお、貸出判定部１６ｄは、管理装置２００から会員管理情報とともにカード未精算報知指示が通知された場合に、未精算のカードがある旨を報知することとしてもよい。また、貸出判定部１６ｄは、カードの取り忘れが発生している旨や未精算のカードがある旨を状態表示部５１に設けられたランプあるいは図示しないスピーカを用いて報知することとしてもよい。
【００９１】
次に、図３に戻り、管理装置２００の構成について説明する。データベース２１０は、図２に示したように、会員管理ＤＢ２１１、カードＤＢ２１２ａおよび持玉ＤＢ２１２ｂを含んでいる。なお、会員管理情報には、「会員ＩＤ」と「携帯ＩＤ」と「メールアドレス」と「暗証番号」とがあらかじめ記憶されているものとする。
【００９２】
会員管理情報更新部２２０は、関連付け情報通知部１６ｃから関連付け情報を取得するとともに、取得した関連付け情報に応じて会員管理ＤＢ２１１に記憶される会員管理情報を更新する処理部である。
【００９３】
たとえば、関連付け情報として、カードＩＤ「ＡＡＡ」、プリペイド残高「１０００円」、携帯ＩＤ「ａａａ」および持玉価値「２０００玉」を取得した場合、会員管理情報更新部２２０は、取得した携帯ＩＤと同一の携帯ＩＤ「ａａａ」を含む会員管理情報に対して、カードＩＤ「ＡＡＡ」、プリペイド残高「１０００円」および持玉価値「２０００玉」を関連付ける。また、会員管理情報更新部２２０は、関連付け情報通知部１６ｃから取り忘れ情報を取得した場合には、取得した取り忘れ情報に含まれるカードＩＤを含んだ会員管理情報に対して取り忘れ「あり」を関連付ける。
【００９４】
また、会員管理情報更新部２２０は、台間装置１０あるいは精算機４００等からカードＩＤおよびプリペイド価値を更新すべき旨を含んだ更新指示を受けた場合には、取得した更新指示に応じてプリペイド価値を更新する。具体的には、会員管理情報更新部２２０は、精算機４００から更新指示を受けると、更新指示に含まれるカードＩＤを含んだ会員管理情報に関連付けられているプリペイド価値を「０円」に更新する。
【００９５】
会員管理情報通知部２３０は、台間装置１０や精算機４００あるいは携帯端末装置処理機６００といった管理対象装置からの要求に応じて、会員管理情報を通知する処理部である。たとえば、カードＩＤ「ＡＡＡ」を含んだ会員管理情報取得要求を精算機４００から取得すると、会員管理情報通知部２３０は、カードＩＤ「ＡＡＡ」を含んだ会員管理情報（会員ＩＤ「０００１」の会員管理情報）を精算機４００に対して通知する。
【００９６】
また、会員管理情報通知部２３０は、管理対象装置に対して会員管理情報を通知する場合に、通知する会員管理情報に含まれるプリペイド価値に残高がある場合には、会員管理情報とともに未精算のカードがある旨を報知すべき旨のカード未精算報知指示を管理対象装置に対して通知する。
【００９７】
ところで、本実施例に係る遊技媒体管理システムでは、管理装置２００に記憶される会員管理情報を用いることにより、精算機４００に対してカード精算を行おうとしている遊技客の本人確認を行ったり、景品交換を行おうとしている遊技客に対して未精算のカードがある旨を報知したりすることもできる。ここで、管理装置２００、精算機４００および携帯端末装置処理機６００の動作例について説明する。図９は、管理装置２００、精算機４００および携帯端末装置処理機６００の動作例を説明するための図である。
【００９８】
図９に示すように、精算機４００は、カードＩＤを読み取るカード保持部４００ａと、携帯ＩＤを読み取るリーダライタ部４００ｂと、リーダライタ部４００ｂによって読み取られた携帯ＩＤの正当性を判定する判定部４００ｃ（利用判定手段に相当）と、判定部４００ｃによる判定結果を表示する表示部４００ｄとを備えている。
【００９９】
具体的には、精算機４００は、カード保持部４００ａが、受け付けたカードのカードＩＤを読み取ると（同図の（Ａ−1）参照）、読み取ったカードＩＤを含んだ会員管理情報を管理装置２００から取得する（同図の（Ａ−２）参照）。つづいて、精算機４００は、リーダライタ部４００ｂが、かざし操作が行われた携帯端末装置の携帯ＩＤを読み取ると（同図の（Ａ−３）参照）、判定部４００ｃが、リーダライタ部４００ｂによって読み取られた携帯ＩＤが会員管理情報に含まれる携帯ＩＤと一致するか否かを判定する。
【０１００】
そして、両者が一致しない場合には（同図の（Ａ−４）参照）、表示部４００ｄに対してカードの精算が不可である旨を表示させる（同図の（Ａ−５）参照）。これにより、遊技客がカードを取り忘れた場合であっても、取り忘れられたカードが他の遊技客によって精算されることを防止できる。
【０１０１】
また、図９に示したように、携帯端末装置処理機６００は、携帯ＩＤを読み取るリーダライタ部６００ａと、管理装置２００からカード未精算報知指示を受けたか否かを判定する判定部６００ｂと、判定部６００ｂによる判定結果を表示する表示部６００ｃとを備えている。
【０１０２】
具体的には、携帯端末装置処理機６００は、リーダライタ部６００ａが、かざし操作が行われた携帯端末装置の携帯ＩＤを読み取ると（同図の（Ｂ−１）参照）、読み取った携帯ＩＤを含んだ会員管理情報を管理装置２００から取得する（同図の（Ｂ−２）参照）。
【０１０３】
このとき、携帯端末装置処理機６００は、会員管理情報とともにカード未精算報知指示を取得した場合には、判定部６００ｂが、管理装置２００からカード未精算報知指示を受けたと判定し（同図（Ｂ−２）参照）、未精算のカードがある旨を表示部６００ｃに対して表示させる（同図（Ｂ−３）参照）。これにより、景品交換を行った遊技客がプリペイド価値を精算せずに退店してしまう事態を防止したり、プリペイド価値が未精算である旨を強く印象付けたりすることができる。
【０１０４】
なお、判定部６００ｂは、管理装置２００からカード未精算報知指示を受けたか否かではなく、管理装置２００から取得した会員管理情報に含まれるプリペイド価値に残高があるか否かを判定することとしてもよい。
【０１０５】
一方、管理装置２００は、会員管理情報更新部２２０が会員管理情報の更新を行ってから（たとえば、関連付け情報通知部１６ｃから受け取った関連付け情報を記憶してから）一定時間が経過した場合に（同図の（Ｃ−１）参照）、更新を行った会員管理情報に含まれるプリペイド価値に残高があるか否かを判定する。
【０１０６】
そして、管理装置２００は、かかる会員管理情報に含まれるプリペイド価値に残高がある場合には、会員管理情報通知部２３０が、この会員管理情報に含まれる電子メールアドレスに対して、未精算のカードがある旨を含んだカード未精算報知メールを通信回線３０経由で送信する（同図の（Ｃ−２）参照）。これにより、景品交換や再遊技を行わずに退店してしまった遊技客に対してもプリペイド価値が未精算である旨を報知することができる。
【０１０７】
次に、台間装置１０が実行する処理手順について説明する。まず、貯玉ボタン押下時における台間装置１０の処理手順について図１０を用いて説明する。図１０は、貯玉ボタン押下時における台間装置の処理手順を示すフローチャートである。
【０１０８】
図１０に示すように、貯玉ボタン６０の押下を検出し（ステップＳ１０１）、リーダライタ部１１が携帯端末装置の携帯ＩＤを読み取ると（ステップＳ１０２）、関連付け部１６ａは、持玉価値と携帯ＩＤとを関連付ける（ステップＳ１０３）。
【０１０９】
つづいて、関連付け部１６ａは、プリペイド残高があるか否かを判定する（ステップＳ１０４）。そして、関連付け部１６ａは、プリペイド残高があると判定すると（ステップＳ１０４，Ｙｅｓ）、カード保持部１２からカードＩＤを取得し、取得したカードＩＤにプリペイド価値および現在時刻（前回返却時刻）を関連付けたうえで（ステップＳ１０５）、返却処理部１６ｂに対してカードを返却するよう指示する。これにより、返却処理部１６ｂから指示を受けたカード保持部１２がカードを排出する（ステップＳ１０６）。
【０１１０】
ステップＳ１０６の処理を終えたとき、あるいは、ステップＳ１０４においてプリペイド残高がない場合（ステップＳ１０４，Ｎｏ）、関連付け情報通知部１６ｃは、カードＩＤ、プリペイド残高、前回返却時刻、携帯ＩＤおよび持玉価値を関連付けた関連付け情報を管理装置２００に対して通知する（ステップＳ１０７）。
【０１１１】
つづいて、貸出判定部１６ｄは、カードを排出してから一定時間が経過したか否かを判定し（ステップＳ１０８）、一定時間が経過したと判定すると（ステップＳ１０８，Ｙｅｓ）、カード挿入部５７にカードが残留しているか否かを判定する（ステップＳ１０９）。そして、カード挿入部５７にカードが残留していると判定した場合（ステップＳ１０９，Ｙｅｓ）、貸出判定部１６ｄは、管理装置２００に対して取り忘れ情報を通知する（ステップＳ１１０）。
【０１１２】
ステップＳ１１０の処理を終えたとき、あるいは、ステップＳ１０９においてカード挿入部５７にカードが残留していない場合（ステップＳ１０９，Ｎｏ）、制御部１６は、貯玉ボタン押下時における処理を終了する。
【０１１３】
次に、カード挿入時における台間装置１０の処理手順について図１１を用いて説明する。図１１は、カード挿入時における台間装置１０の処理手順を示すフローチャートである。
【０１１４】
図１１に示すように、カード挿入部５７に対してカードが挿入されると、カード保持部１２は、挿入されたカードのカードＩＤを読み取る（ステップＳ２０１）。また、貸出判定部１６ｄは、カード保持部１２によって読み取られたカードＩＤを含んだ会員管理情報を管理装置２００から取得する（ステップＳ２０２）。
【０１１５】
つづいて、貸出判定部１６ｄは、現在時刻が、会員管理情報に含まれる前回返却時刻から所定時間以内か否かを判定する（ステップＳ２０３）。そして、現在時刻が前回返却時刻から所定時間以内ではない場合、すなわち、前回返却時刻から所定時間が経過している場合（ステップＳ２０３，Ｎｏ）、リーダライタ部１１は、かざし操作が行われた携帯端末装置の携帯ＩＤを読み取る（ステップＳ２０４）。
【０１１６】
つづいて、貸出判定部１６ｄは、リーダライタ部１１によって読み取られた携帯ＩＤを会員管理情報に含まれる携帯ＩＤと対比することで、リーダライタ部１１によって読み取られた携帯ＩＤが正当であるか否かを判定する（ステップＳ２０５）。そして、リーダライタ部１１によって読み取られた携帯ＩＤが正当ではない場合（ステップＳ２０５，Ｎｏ）、貸出判定部１６ｄは、プリペイド価値を使用禁止状態とするとともに（ステップＳ２０６）、カードが使用不可である旨を報知する（ステップＳ２０７）。
【０１１７】
一方、現在時刻が前回返却時刻から所定時間以内であると判定した場合（ステップＳ２０３，Ｙｅｓ）、あるいは、携帯ＩＤが正当であると判定した場合（ステップＳ２０５，Ｙｅｓ）、貸出判定部１６ｄは、プリペイド価値を使用可能な状態とするとともに（ステップＳ２０８）、カードが使用可能である旨を報知する（ステップＳ２０９）。ステップＳ２０７，Ｓ２０９の処理を終えたとき、制御部１６は、カード挿入時における処理を終了する。
【０１１８】
なお、貸出判定部１６ｄは、ステップＳ２０４において一定時間内に携帯ＩＤを読み取れなかった場合にも、プリペイド価値の使用を不許可としてもよい。また、貸出判定部１６ｄは、携帯端末装置のかざし操作とともに暗証番号の入力を遊技客に対して行わせることによって、携帯ＩＤおよび暗証番号が共に正当であるか否かを判定することとしてもよい。
【０１１９】
次に、持玉価値を用いた再遊技時における台間装置の処理手順について図１２を用いて説明する。図１２は、持玉価値を用いた再遊技時における台間装置の処理手順を示すフローチャートである。
【０１２０】
図１２に示すように、リーダライタ部１１によって携帯ＩＤが読み取られると（ステップＳ３０１）、貸出判定部１６ｄは、読み取った携帯ＩＤを含んだ会員管理情報を管理装置２００から取得する（ステップＳ３０２）。
【０１２１】
つづいて、貸出判定部１６ｄは、管理装置２００から取得した会員管理情報に取り忘れ情報が含まれているか否かを判定し（ステップＳ３０３）、取り忘れ情報が含まれていると判定した場合（ステップＳ３０３，Ｙｅｓ）カードを取り忘れている旨を報知する（ステップＳ３０４）。
【０１２２】
ステップＳ３０４の処理を終えたとき、あるいは、ステップＳ３０３において取り忘れ情報が含まれていない場合（ステップＳ３０３，Ｎｏ）、貸出判定部１６ｄは、会員管理情報に含まれるプリペイド価値に残高があるか否かを判定する（ステップＳ３０５）。そして、会員管理情報に含まれるプリペイド価値に残高があると判定した場合（ステップＳ３０５，Ｙｅｓ）、貸出判定部１６ｄは、未精算のカードがある旨を報知する（ステップＳ３０６）。なお、貸出判定部１６ｄは、ステップＳ３０６において、管理装置２００からカード未精算報知指示を取得したか否かを判定することとしてもよい。
【０１２３】
ステップＳ３０６の処理を終えたとき、あるいは、ステップＳ３０５において会員管理情報に含まれるプリペイド価値に残高がない場合（ステップＳ３０５，Ｎｏ）、制御部１６は、持玉価値を用いた再遊技時における処理を終了する。
【０１２４】
上述してきたように、本実施例では、記憶部１７が、プリペイド価値を記憶し、計数部１５が、自装置に対応する遊技台で遊技客が獲得した遊技媒体を計数し、返却処理部１６ｂが、計数部１５によって計数された遊技媒体数を含んだ持玉価値を携帯端末装置に対して関連付ける操作が受け付けられた場合に、記憶部１７に記憶されたプリペイド価値に残高があるならば、このプリペイド価値を関連付けたカードを返却することとしたため、計数部１５によって計数された持玉価値を遊技客が所持する携帯端末装置に対して関連付ける運用を行う場合に、プリペイド価値が関連付けられたカードの取り忘れを防止することができる。
【０１２５】
なお、上述した実施例では、携帯端末装置に対して関連付けた持玉価値を貯玉として管理する場合について説明してきたが、持玉として管理してもよい。かかる場合、管理装置２００の会員管理情報更新部２２０は、関連付け情報通知部１６ｃから通知される関連付け情報や取り忘れ情報を会員管理ＤＢ２１１ではなく、カードＤＢ２１２ａもしくは持玉ＤＢ２１２ｂに記憶することとすればよい。そして、管理装置２００の会員管理情報通知部２３０は、カードＤＢ２１２ａもしくは持玉ＤＢ２１２ｂに記憶された関連付け情報を台間装置１０等の管理対象装置からの要求に応じて通知することとすればよい。
【０１２６】
また、上述してきた実施例では、会員ＤＢ２１１、持玉ＤＢ２１２ａおよびカードＤＢ２１２ｂをそれぞれ別体として管理する場合について説明したが、各情報の管理態様は本実施例に記載した以外の態様であってもよい。たとえば、持玉情報を会員ＤＢ２１１で管理することとしてもよいし、会員ＤＢ２１１、持玉ＤＢ２１２ａおよびカードＤＢ２１２ｂに記憶される各情報を１つのＤＢで管理してもよい。また、会員ＤＢ２１１、持玉ＤＢ２１２ａおよびカードＤＢ２１２ｂをそれぞれ管理する管理装置を設けてもよい。
【０１２７】
また、上述してきた実施例では、計数部を備えた台間装置に対して本発明を適用した場合について説明したが、計数部を台間装置とは独立した計数装置として構成して台間装置および計数装置が相互に通信する場合に、本発明を適用することとしてもよい。
【０１２８】
また、上述してきた実施例では、持玉等の遊技媒体を払い出すノズルを備えた台間装置に対して本発明を適用した場合について説明したが、これに限ったものではなく、ノズルを備えていない台間装置に対しても本発明を適用することができる。また、上述してきた実施例では、玉貸機能と各台計数機能とを兼ね備えた１台の台間装置に対して本発明を適用した場合について説明したが、玉貸機能を有する第１の台間装置（ＣＲユニット）と、各台計数機能を有する第２の台間装置（計数サンド）とを併設するシステム（ダブルサンド方式）に対して本発明を適用することとしてもよい。
【産業上の利用可能性】
【０１２９】
以上のように、本発明に係る遊技媒体管理システムおよび台間装置は、プリペイド価値が関連付けられたカードの取り忘れを防止したい場合に有用であり、特に、各台計数方式を用いた遊技店システムへの適用に適している。
【符号の説明】
【０１３０】
１０    台間装置
１１    リーダライタ部
１２    カード保持部
１３    操作・表示部
１４    払出部
１５    計数部
１６    制御部
１６ａ  関連付け部
１６ｂ  返却処理部
１６ｃ  関連付け情報通知部
１７    記憶部
１７ａ  持玉情報
１７ｂ  プリペイド残高情報
２０    店舗内ＬＡＮ
５１    状態表示部
５２    紙幣挿入部
５３    リモコン受光部
５４    操作・表示部
５５    持玉払出部
５６    リーダライタ部
５７    カード挿入部
５８    計数部
５９    玉貯留部
６０    貯玉ボタン
６１    持玉払出ボタン
１００    遊技台
１００ａ  表示部
１００ｂ  操作ボタン
１００ｃ  下皿
２００    管理装置
２１０    データベース
２１１    会員管理ＤＢ
２１２    記録媒体管理ＤＢ
２１２ａ  カードＤＢ
２１２ｂ  持玉ＤＢ
２２０    会員管理情報更新部
２３０    会員管理情報通知部
３００    島コントローラ
４００    精算機
４００ａ  カード保持部
４００ｂ  リーダライタ部
４００ｃ  判定部
４００ｄ  表示部
５００    景品管理機
６００    携帯端末装置処理機
６００ａ  リーダライタ部
６００ｂ  判定部
６００ｃ  表示部
７００    景品払出機
【図１】
0005480613.tif 000002
【図２】
0005480613.tif 000003
【図３】
0005480613.tif 000004
【図４】
0005480613.tif 000005
【図５】
0005480613.tif 000006
【図６】
0005480613.tif 000007
【図７】
0005480613.tif 000008
【図８】
0005480613.tif 000009
【図９】
0005480613.tif 000010
【図１０】
0005480613.tif 000011
【図１１】
0005480613.tif 000012
【図１２】
0005480613.tif 000013